(57)【要約】【課題】複数の受信装置で同一放送受信時に複数並べた表示部を同時に見ても、違和感を生じないようにする。【解決手段】操作手段１０１０,２０１１で各々選択された所望の放送信号１ａ、１ｂが同一である場合は、複数の受信装置のうち一つの受信装置２０の、チューナ部３で選択検波された信号を、映像処理部６で放送番組を表示できるよう信号処理し、該信号を表示部８、９の共通の信号として選択できるよう制御する同一放送信号検出手段４と切替手段７を設ける。    これにより、同一放送受信時に複数並べた表示部を同時に見ても違和感を生じないようにすることができる。【選択図】    図１
2005117345.tif 000002
【特許請求の範囲】
【請求項１】
アンテナやインターネット等の通信手段を介して受信される複数の放送信号のうち、選択された所望の放送番組にかかわる放送信号を信号処理部により信号処理する信号処理手段を備えた受信装置であって、
放送番組を表示する複数の表示手段のうち対応する表示手段に対し、前記信号処理手段より処理された信号を出力する受信装置が、複数設けられた複数型受信装置において、
前記複数の受信装置において各々選択された所望の放送番組が同一である場合は、前記複数の受信装置のうち、一つの受信装置で用いられている信号処理部を、複数の受信装置における共通の信号処理部として選択するよう制御する制御手段を設け、前記共通の信号処理部を介して前記所望の放送番組の放送信号が各表示手段へ出力されるようにしてなることを特徴とする、複数型受信装置。
【請求項２】
前記信号処理手段の信号処理部は所望の放送番組の放送信号を選択する放送信号選択部、該放送信号選択部で検出された信号を処理する映像処理部からなり、前記制御手段は共通の信号処理部として複数の放送信号選択部のいずれか一つを選択し、該放送信号選択部で処理された信号は共通の検波信号とし、各後段の映像処理部へそれぞれ出力するようにしてなることを特徴とする、請求項1項記載の複数型受信装置。
【請求項３】
前記信号処理手段の信号処理部は、所望の放送番組の放送信号を選択する放送信号選択部、該放送信号選択部で検出された信号を処理する映像処理部からなり、前記制御手段は共通の信号処理部として複数の放送信号選択部及び映像処理部のいずれか一つを選択し、該放送信号選択部及び映像処理部で処理された信号は共通の映像信号とし、前記各表示手段へそれぞれ出力するようにしてなることを特徴とする、請求項1項記載の複数型受信装置。
【発明の詳細な説明】
【技術分野】
【０００１】
本発明は複数の受信装置を有する複数型受信装置に関する。
【背景技術】
【０００２】
受信装置、例えばテレビ受信機を自動車等に用いる場合、例えば運転席側にディスプレィを１台設けるのが通常である。
ところが、ユーザの希望により、もう１台ディスプレィ付き受信装置を設け、ディスプレィ２台を並列に並べ、一方のディスプレィにはナビゲーション等の地図画面を、他方にはテレビ放送を視聴できるようにしたり、あるいは一方のディスプレィにはある放送チャンネルの番組を、他方のディスプレィには異なった放送チャンネルの番組を視聴できるように構成されていることがある。
【０００３】
このように受信装置を複数設けた場合の構成を以下説明する。
図３は従来の複数型受信装置ブロック図を示す。
第１の受信装置５０には、アンテナ等の通信手段１０１ａを介して受信される放送信号のうち、操作手段１１２によって選択される所望の放送チャンネルの指示信号に基づいて、その所望の放送チャンネルに相当する放送信号を選択し、その放送信号を検波する放送信号選択部であるチューナ部１０２が設けられている。
また、第１の受信装置５０には、そのチューナ部１０２からの検波信号に対し、映像をユーザに表示させるために映像処理を施し、映像信号を抽出して出力する映像処理部１０５が設けられている。
更に、第１の受信装置５０には、その映像処理部１０５で処理された映像信号の内容をユーザに対し表示させるための表示部１０８（ディスプレィ）が設けられている。
【０００４】
操作手段１１２は、例えばスイッチ等から構成されており、ユーザが所望の放送チャンネルのスイッチを操作することによりその放送チャンネルに対応した指示信号がチューナ部へ出力される。
尚、音声処理についても図示はしないが、音声処理部及び音声出力（スピーカ）が設けられており、所望の放送信号の音声が出力されるようになっている。
【０００５】
また、インターネットの放送信号を受信する場合は、通信手段１０１ａとしてはインターネット通信網が採用され、チューナ部としてはＵＲＬアドレスに該当する放送信号を受信する受信部が採用される。
第２の受信装置６０においても、第１の受信装置５０と同様の構成（通信手段１０１ｂ，チューナ部１０３、操作手段１１３、映像処理部１０６、表示部１０９）を採用しており、各構成の説明については省略する。
尚、通信手段は第１、第２の受信装置に対し、共用で用いても良い。また、表示部１０８、１０９は第１、第２の受信装置とは別体として設けられても良い。
【０００６】
以下、本構成での動作を説明する。
第１の受信装置５０において、操作手段１１２によりユーザが所望の放送チャンネルを選択操作すると、通信手段１０１ａ，チューナ部１０２、映像処理部１０５を介して表示部１０８にその放送チャンネルの番組の内容が表示される。
一方、第２の受信装置６０において、操作手段１１３によりユーザが所望の放送チャンネルを選択操作すると、通信手段１０１ｂ，チューナ部１０３、映像処理部１０６を介して表示部１０９にその放送チャンネルの番組の内容が表示される。尚、このような複数の受信装置で構成されているものが、特許文献１、特許文献２に開示されている。
特許文献１は通常時に使用するチューナとＶＴＲ記録用のチューナの２つのチューナを内蔵するＶＴＲ一体型のテレビジョン受像機において、複数のチューナ部が同じチャンネルを選局した場合には、同じチャンネルを選局したチューナ部のうちから１つのチューナ部の映像信号と音声信号を所要の回路部に対して供給するようスイッチ部を切換え、さらに、同じチャンネルを選局した他のチューナ部については選局動作を停止させるものである。
特許文献２は２つ以上のチューナと１つの音声多重回路を備えたテレビ受像機において、音声切換機能時、副画面の音声を音声多重で出力するものである。
【特許文献１】特開平６−３０３５４１号公報
【特許文献２】特開平１０−６５９９４号公報
【発明の開示】
【発明が解決しようとする課題】
【０００７】
図３の構成において、各放送選択手段でたまたま同一の放送チャンネルを選択することがある。
その場合は当然、同一の放送チャンネルの番組がそれぞれの表示部で表示されることになる。
ところが、各受信装置の信号処理手段であるチューナ部や映像処理部は同一構成であるとはいえ、製造上等で各チューナ部同士、あるいは映像処理部の特性にばらつきを有していることがある。
そのため、各表示部に同一の番組が表示されてはいるが、その映像の品質が異なって見えてしまう、例えば色合いや輝度等が異なって見えてしまうことになり、ユーザには違和感となる。
本発明は、このような点に鑑みなされたもので、同一放送受信時に各々の前記表示部を同時に見ても、違和感を生じないようにすることを目的とする。
【課題を解決するための手段】
【０００８】
この課題を解決するために本発明は、各々選択された所望の放送信号が同一である場合は、前記複数の受信装置のうち、一つの受信装置の信号処理段で用いられている所定段の信号処理部を複数の受信装置における共通の信号処理部として選択するよう制御する制御手段を設けたことを特徴とし、
また共通の信号処理部として複数の放送信号選択部のいずれか一つを選択し、該放送信号選択部で処理された信号は共通の検波信号とし、各後段の映像処理部へそれぞれ出力するようにしてなることを特徴とし、
また共通の信号処理部として複数の映像処理部のいずれか一つを選択し、該映像処理部で処理された信号は共通の映像信号とし、前記表示装置へそれぞれ出力するようにしてなることを特徴とする複数型受信装置である。
【発明の効果】
【０００９】
以上のように本発明によれば、複数の受信装置において同一の放送内容を表示するときであっても、各表示部には略同一の品質をもって表示させることができ、ユーザに違和感をなくすることができる。
【発明を実施するための最良の形態】
【００１０】
以下、本発明の実施の形態を図面を用いて説明する。
図１は本発明の第１の実施の形態に係る構成図である。
第１の受信装置１０には、アンテナ等の通信手段１ａを介して受信される放送信号のうち、操作手段１０１０によって選択される所望の放送チャンネルの指示信号に基づいて、その所望の放送チャンネルに相当する放送信号を選択しその放送信号を検波する、チューナ部２が設けられている。
また、第１の受信装置１０には、そのチューナ部２からの検波信号に対し、映像をユーザに表示させるために映像処理を施し、映像信号を抽出して出力する映像処理部５が設けられている。これらチューナ部２、映像処理部５が信号処理手段に相当する。
更に、第１の受信装置１０には、その映像処理部５で処理された映像信号の内容をユーザに対し表示させるための表示部８（ディスプレィ）が設けられている。
操作手段１０１０は、例えばスイッチ等から構成されており、ユーザが所望の放送チャンネル（番組）のスイッチを操作することによりその放送チャンネルに対応した指示信号がチューナ部２へ出力される。
【００１１】
同一放送信号検出手段４は本発明の特徴的な部分を示すものである。該同一放送信号検出手段４はチューナ部２及び３よりそれぞれ選択された放送信号を検出し、それぞれの放送信号の内容を比較、例えば放送信号の搬送波周波数を比較する等し、第１、第２の受信装置で選択された放送信号が同一すなわち所望の放送番組が同一であるか否かを判断して、同一であれば後述する切替手段へ切替信号を出力するものである。
尚、同一放送信号検出手段としては、チューナ部２、３からの信号を比較するものの代わりに、操作手段１０１０、２０１１からのチャンネル信号に基づいて比較・判断するようにしても良い。
【００１２】
切替手段７は、切替スイッチ７１、切替スイッチ７２から構成されている。
通常は、切替スイッチ７１の接点は、「ａ」側に接続されており、第１の受信装置の映像処理部５からの映像信号が表示部８へ出力されるように構成されているが、同一放送信号検出手段４から切替信号を受けると、スイッチ７１の接点を「ｂ」側に切替え、映像処理部５からの映像信号の出力が切断されるようになっている。
切替スイッチ７２は、通常接点が「ａ」側に接続されており、映像処理部６からの映像信号が表示部９へ出力されるように構成されているが、同一放送信号検出手段４から切替信号を受けると、スイッチ７２の接点を「ｂ」側に切替え、映像処理部６からの映像信号が表示部９及び表示部８にも出力されるように構成されている。
従って、切替手段７では同一放送信号検出手段４からの切替信号を受けると、スイッチ７１、７２のそれぞれの接点を連動して「ｂ」に切替え、所定の信号処理部である、チューナ部３及び映像処理部６を共通の信号処理部として後段である表示部８、９へ同じ信号を出力できるようにしている。
【００１３】
尚、音声処理についても図示はしないが、音声処理部及び音声出力（スピーカ）が設けられており、所望の放送信号の音声が出力されるようになっているが、音声処理についても映像と同様に共通の信号処理部を採用するようにしても良い。
また、インターネットの放送信号を受信する場合は、通信手段１ａとしてはインターネット通信網が採用され、チューナ部としてはＵＲＬアドレスに該当する放送信号を受信する受信部が採用される。
第２の受信装置２０においても、第１の受信装置１０と同様の構成（通信手段１ｂ，チューナ部３、操作手段２０１１、映像処理部６、表示部９）を採用しており、各構成の説明については省略する。表示部８、９はいずれも放送番組の内容を表示するディスプレィであるがこの場合これらの表示部８,９は横並びに配置される。
尚、通信手段は第１、第２の受信装置に対し、共用で用いても良い。また、表示部８、９は第１、第２の受信装置とは別体装置として設けられても良い。
【００１４】
以下、本構成での動作を説明する。
第１の受信装置１０において、操作手段１０１０によりユーザが所望の放送チャンネルを選択操作すると、通信手段１ａ，チューナ部２、映像処理部５を介して表示部８にその放送チャンネルの番組の内容が表示される。
一方、第２の受信装置２０においても、上記と同様に、操作手段２０１１により所望の放送チャンネルを選択操作すると、通信手段１ｂ，チューナ部３、映像処理部６を介して表示部９にその放送チャンネルの番組の内容が表示される。
そして、それぞれの操作手段において、ユーザが同一の放送チャンネルを選択すると、同一放送信号検出手段４ではそれぞれの放送信号の比較結果から各放送信号が同一の放送であると判断し、切替信号を切替手段７へ出力する。その結果、スイッチ７１、７２の接点がそれぞれ「ａ」から「ｂ」に切り替わり、映像処理部５からの映像信号が切断され、代わって映像処理部６からの映像信号が表示部８及び９へ出力されることになる。
【００１５】
従って、表示部８、９に対しては、共通の信号処理部であるチューナ部３及び映像処理部６を介した映像信号が出力されるため、チューナ部及び映像処理部としては第１、第２の受信装置とも同じ品質の信号処理が得られる。
これによって、表示部８、９で表示される同一放送の番組の品質は略同一となり、ユーザに違和感が生ずるのをなくすことができる。
尚、同一放送信号検出手段４及び切替手段７は第１の受信装置あるいは第２の受信装置内に組み込んでおいても良いし、または第１、第２の受信装置とは別体装置として設けるようにしても良い。
また操作手段１０１０，２０１１は別体としたが同一体として、第１の受信装置１０、第２の受信装置２０それぞれの放送チャンネルを選択できるようにしても良い。
さらに本実施の形態では共通の信号処理部として第２の受信装置２０側のものを採用したが、受信状況の良いものを採用しても良い。
【００１６】
図２は本発明の第２の実施の形態に係る構成図である。
第１の受信装置２００には、アンテナ等の通信手段２０１ａを介して受信される放送信号のうち、操作手段２１０によって選択される所望の放送チャンネルの指示信号に基づいて、その所望の放送チャンネルに相当する放送信号を選択しその放送信号を検波する、チューナ部２０２が設けられている。
また、第１の受信装置２００には、そのチューナ部２０２からの検波信号に対し、映像をユーザに表示させるために映像処理を施し、映像信号を抽出して出力する映像処理部２０５が設けられている。これらチューナ部２０２、映像処理部２０５が信号処理手段に相当する。
更に、第１の受信装置２００には、その映像処理部２０５で処理された映像信号の内容をユーザに対し表示させるための表示部２０８（ディスプレィ）が設けられている。
【００１７】
操作手段２１０は、例えばスイッチ等から構成されており、ユーザが所望の放送チャンネル（番組）のスイッチを操作することによりその放送チャンネルに対応した指示信号がチューナ部２０２へ出力される。
同一放送信号検出手段２０４は本発明の特徴的な部分を示すものである。該同一放送信号検出手段２０４はチューナ部２０２及び２０３よりそれぞれ選択された放送信号を検出し、それぞれの放送信号の内容を比較、例えば放送信号の搬送波周波数を比較する等し、第１、第２の受信装置で選択された放送信号が同一すなわち所望の放送番組が同一であるか否かを判断して、同一であれば後述する切替手段へ切替信号を出力するものである。
尚、同一放送信号検出手段としては、チューナ部２０２、２０３からの信号を比較するものの代わりに、操作手段２１０、２１１からのチャンネル信号に基づいて比較・判断するようにしても良い。
【００１８】
切替手段２０７は、切替スイッチ７０１、切替スイッチ７０２から構成されている。
通常は、切替スイッチ７０１の接点は、「ａ」側に接続されており、第１の受信装置２００のチューナ部２０２の検波信号が映像処理部２０５へ出力されるように構成されているが、同一放送信号検出手段２０４から切替信号を受けると、スイッチ７０１の接点を「ｂ」側に切替え、チューナ部２０２の検波信号が切断されるようになっている。
もう一方の切替スイッチ７０２は、通常接点が「ａ」側に接続されており、チューナ部２０３の検波信号が映像処理部２０６へ出力されるように構成されているが、同一放送信号検出手段２０４から切替信号を受けると、スイッチ７０２の接点を「ｂ」側に切替え、チューナ部２０３の検波信号が映像処理部２０５、２０６にも出力されるように構成されている。
従って、切替手段２０７では同一放送信号検出手段２０４からの切替信号を受けると、スイッチ７０１、７０２のそれぞれの接点を連動して「ｂ」に切替え、所定のチューナ部である、チューナ部２０３を共通の信号処理部として後段の信号処理部である映像処理部２０５、２０６を介して表示部２０８，２０９へ同じ信号を出力できるようにしている。
【００１９】
尚、音声処理についても図示はしないが、音声処理部及び音声出力（スピーカ）が設けられており、所望の放送信号の音声が出力されるようになっているが、音声処理についても映像と同様に共通の信号処理部を採用するようにしても良い。
また、インターネットの放送信号を受信する場合は、通信手段２０１ａとしてはインターネット通信網が採用され、チューナ部としてはＵＲＬアドレスに該当する放送信号を受信する受信部が採用される。
第２の受信装置３００においても、第１の受信装置２００と同様の構成（通信手段２０１ｂ，チューナ部２０３、操作手段２１１、映像処理部２０６、表示部２０９）を採用しており、各構成の説明については省略する。表示部２０８、２０９はいずれも放送番組の内容を表示するディスプレィであるがこの場合これらの表示部２０８,２０９は横並びに配置される。
【００２０】
以下、本構成での動作を説明する。
第１の受信装置２００において、操作手段２１０によりユーザが所望の放送チャンネルを選択操作すると、通信手段２０１ａ，チューナ部２０２、映像処理部２０５を介して表示部２０８にその放送チャンネルの番組の内容が表示される。
一方、第２の受信装置においても、上記と同様に、操作手段２１１により所望の放送チャンネルを選択操作すると、通信手段２０１ｂ，チューナ部２０３、映像処理部２０６を介して表示部２０９にその放送チャンネルの番組の内容が表示される。
そして、それぞれの操作手段において、ユーザが同一の放送チャンネルを選択すると、同一放送信号検出手段ではそれぞれの放送信号の比較結果から各放送信号が同一の放送であると判断し、切替信号を切替手段２０７へ出力する。その結果、スイッチ７０１、７０２の接点がそれぞれ「ａ」から「ｂ」に切り替わり、チューナ部２０２からの映像信号が切断され、代わってチューナ部２０３からの検波信号が映像処理部２０５,２０６へ出力されることになる。
【００２１】
従って、映像処理部２０５,２０６に対しては、共通のチューナ部であるチューナ部２０３からの検波信号が出力されるため、チューナ部としては第１、第２の受信装置とも同じ品質の検波信号が得られる。
これによって、映像処理部で処理され表示部２０８,２０９で表示される同一放送の番組の品質は略同一となり、ユーザに違和感が生ずるのをなくすことができる。
尚、同一放送信号検出手段２０４及び切替手段２０７は第１の受信装置２００あるいは第２の受信装置３００内に組み込んでおいても良いし、または第１、第２の受信装置とは別体装置として設けるようにしても良い。
また操作手段２１０，２１１は別体としたが同一体として、第１の受信装置２００、第２の受信装置３００それぞれの放送チャンネルを選択できるようにしても良い。
さらに本実施の形態では共通の信号処理部として第２の受信装置３００側のものを採用したが、受信状況の良いものを採用しても良い。
本実施形態では信号処理手段の信号処理部としてチューナ部と映像信号処理部とを挙げたが、これに特に限定されることはなく、例えばチューナ部や映像処理部として分けずに各信号処理部として回路機能毎に細分化し、そのうちフィルタ回路のみを共通としたり、これとは逆に最終的に表示部に表示されるまで信号処理にかかるもの全ての回路を共通として採用しても良い。
【図面の簡単な説明】
【００２２】
【図１】本発明の第１の実施形態の映像処理部の映像信号の切替に係る複数受信装置の構成を示す構成図である。
【図２】本発明の第２の実施形態のチューナ部の検波信号の切替に係る複数受信装置の構成を示す構成図である。
【図３】従来の複数受信装置の構成図である。
【符号の説明】
【００２３】
１０，５０，２００，                                   第１の受信装置
２０，６０、３００                                     第２の受信装置
１ａ、1ｂ，２０１ａ，２０１ｂ                          通信手段
２、３、１０２，１０３，２０２，２０３                 チューナ部
２１０，２１１、１０１０、２０１１                     操作手段
４，２０４                                             同一放送信号検出手段
５，６，１０５，１０６，２０５，２０６         映像処理部
７，２０７                                             切替手段
７１，７２，７０１，７０２                             スイッチ
８、９，１０８，１０９，２０８，２０９                 表示部
【図１】
2005117345.tif 000003
【図２】
2005117345.tif 000004
【図３】
2005117345.tif 000005